(57)【要約】【課題】幹線を居室親機の設置されている場所まで引き込むことなく、容易に施工が可能な集合住宅インターホン装置を提供する。【解決手段】集合住宅の集合玄関に設置されるカメラ付集合玄関機１０１及び管理室に設置される管理室親機１０２を制御機１０３を介し幹線Ｌ１を経由して各居室玄関に設置されるカメラ付玄関子機１０４及び各居室に設置されるモニタ付居室親機１０５に接続し、玄関子機に、幹線に接続され制御機との通信を行うための集合インターフェース１０６と、居室親機の部屋番号等の識別番号を設定する識別番号設定装置１２４を設けることにより、玄関子機と居室親機の間の配線を２線化する。また、カメラ付集合玄関機を集合玄関機、カメラ付玄関子機を玄関子機、モニタ付居室親機を居室親機に置換えて映像機能を除くこともある。【選択図】図１
2004297569.tif 000002
【特許請求の範囲】
【請求項１】
集合住宅の集合玄関に設置されるカメラ付集合玄関機（１０１）及び管理室に設置される管理室親機（１０２）を制御機（１０３）を介し幹線（Ｌ１）を経由して集合住宅の各居室玄関に設置されるカメラ付玄関子機（１０４）及び各居室に設置されるモニタ付居室親機（１０５）に接続し、
前記カメラ付玄関子機に、前記幹線に接続され前記制御機との通信を行うための集合インターフェース（１０６）を設けることにより、前記カメラ付玄関子機と前記モニタ付居室親機の間の配線を２線化したことを特徴とする集合住宅インターホン装置。
【請求項２】
前記カメラ付玄関子機に、前記モニタ付居室親機の部屋番号等の識別番号を設定する識別番号設定装置（１２４）を設けたことを特徴とする請求項１記載の集合住宅インターホン装置
【請求項３】
集合住宅の集合玄関に設置される集合玄関機（２０１）及び管理室に設置される管理室親機（２０２）を制御機（２０３）を介し幹線（Ｌ２）を経由して集合住宅の各居室玄関に設置される玄関子機（２０４）及び各居室に設置される居室親機（２０５）に接続し、
前記玄関子機に、前記幹線に接続され前記制御機との通信を行うための集合インターフェース（２０６）を設けることにより、前記玄関子機と前記居室親機の間の配線を２線化したことを特徴とする集合住宅インターホン装置。
【請求項４】
前記玄関子機に、前記居室親機の部屋番号等の識別番号を設定する識別番号設定装置（２２４）を設けたことを特徴とする請求項３記載の集合住宅インターホン装置。
【発明の詳細な説明】
【０００１】
【発明の属する技術分野】
本発明は、集合住宅インターホン装置に係わり、特に各居室の機器を制御機からの幹線に接続する方式の集合住宅インターホン装置に関する。
【０００２】
【従来の技術】
図３に示す通り、従来、この種の集合住宅インターホン装置において各居室は、カメラ付玄関子機３０４及びモニタ付居室親機３０５により構成されている。
【０００３】
カメラ付玄関子機３０４は、映像信号を取り扱う子機映像系回路３０８、音声信号を取り扱う子機音声系回路３０９、子機映像系回路３０８と子機音声系回路３０９による信号をモニタ付居室親機３０５との通信時に２線化を行う子機２線化インターフェース３０７ａ及び呼出装置３１６により構成されている。
【０００４】
また、モニタ付居室親機３０５は、カメラ付玄関子機３０４との通信時に２線化を行う親機２線化インターフェース３０７ｂ、映像信号を取り扱う親機映像系回路３１０、音声信号を取り扱う親機音声系回路３１１、親機制御系回路３１２、幹線Ｌ３と接続するための集合インターフェース３０６、呼出検出回路３１７、通話釦３２３、部屋番号設定装置３２４、解錠釦３２５により構成されている。
【０００５】
子機２線化インターフェース３０７ａと親機２線化インターフェース３０７ｂの間は２線の線路ｈ３によって接続されている。幹線Ｌ３は、データ幹線Ｌｄ３、映像信号幹線Ｌｍ３、音声信号幹線Ｌｓ３により構成されている。
【０００６】
集合システムの共用部Ｃ３には、制御機３０３、カメラ付集合玄関機３０１、管理室親機３０２、オートロック解錠装置３１８により構成されており、カメラ付集合玄関機３０１は、集合玄関機カメラ３１９、部屋番号入力装置３２０、集合玄関機通話回路３２１、集合玄関機インターフェース３２２、オートロック制御回路３２６により構成されている。
【０００７】
モニタ付居室親機３０５の集合インターフェース３０６は制御機３０３からの幹線Ｌ３に接続されている。また、制御機３０３にはカメラ付集合玄関機３０１及び管理室親機３０２がそれぞれ接続されており、カメラ付集合玄関機３０１にはオートロック解錠装置３１８が接続されている（例えば、特許文献１参照）。
【０００８】
以上のように構成された集合住宅インターホン装置の動作を次に説明する。
【０００９】
まず、子機２線化インターフェース３０７ａ及び親機２線化インターフェース３０７ｂについて説明する。カメラ付玄関子機３０４とモニタ付居室親機３０５の間の２線の線路ｈ３の線間電圧ｖｈは、待受時において親機２線化インターフェース３０７ｂによりｖｈ＝ｖ１、呼出時において子機２線化インターフェース３０７ａによりｖｈ＝ｖ２、通話時において親機２線化インターフェース３０７ｂによりｖｈ＝ｖ３に制御される。
【００１０】
ここで、カメラ付玄関子機３０４の子機映像系回路３０８と子機音声系回路３０９は、線路ｈ３の線間電圧ｖｈがｖ３の場合のみ親機２線化インターフェース３０７ｂより電源電圧が供給され、この場合のみ動作する。また、カメラ付玄関子機３０４とモニタ付居室親機３０５が通話状態にある場合、子機映像系回路３０８及び子機音声系回路３０９のモニタ付居室親機３０５に対する信号は、子機２線化インターフェース３０７ａにより線路ｈ３の線間電圧ｖｈ＝ｖ３に重畳されて親機２線化インターフェース３０７ｂに伝達され、親機音声系回路３１１によるカメラ付玄関子機３０４に対する音声信号は、親機２線化インターフェース３０７ｂにより線路ｈ３の線間電圧ｖｈ＝ｖ３に重畳されて子機２線化インターフェース３０７ａに伝達される。
【００１１】
次に、カメラ付玄関子機３０４とモニタ付居室親機３０５の通話について説明する。カメラ付玄関子機３０４とモニタ付居室親機３０５が待受状態にある場合、親機２線化インターフェース３０７ｂにより線路ｈ３の線間電圧ｖｈはｖ１となっている。ここで、カメラ付玄関子機３０４の呼出装置３１６より呼出信号が発生すると、子機２線化インターフェース３０７ａにより線路ｈ３の線間電圧ｖｈはｖ２となる。線間電圧ｖｈがｖ２になると、モニタ付居室親機３０５の呼出検出回路３１７ではカメラ付玄関子機３０４からの呼出が検出され、親機制御系回路３１２に伝達される。この状態で通話釦３２３が押下され、通話釦３２３の押下が親機制御系回路３１２に伝達されると、親機制御系回路３１２は親機２線化インターフェース３０７ｂにより線路ｈ３の線間電圧ｖｈをｖ３としてカメラ付玄関子機３０４の子機映像系回路３０８と子機音声系回路３０９に電源を供給し、カメラ付玄関子機３０４とモニタ付居室親機３０５が通話状態となる。
【００１２】
このとき、モニタ付居室親機３０５に対する子機映像系回路３０８及び子機音声系回路３０９の信号は子機２線化インターフェース３０７ａにより線路ｈ３の線間電圧ｖｈ＝ｖ３に重畳されて、親機２線化インターフェース３０７ｂに伝達され、親機２線化インターフェース３０７ｂにより、親機映像系回路３１０及び親機音声系回路３１１に振り分けられた後、親機映像系回路３１０及び親機音声系回路３１１のそれぞれにより復調される。
【００１３】
また、親機音声系回路３１１によるカメラ付玄関子機３０４に対する音声信号は、親機２線化インターフェース３０７ｂにより線路ｈ３の線間電圧ｖｈ＝ｖ３に重畳されて子機２線化インターフェース３０７ａに伝達され、子機２線化インターフェース３０７ａにより子機音声系回路３０９に振り分けられた後、子機音声系回路３０９において復調される。
【００１４】
以上により、カメラ付玄関子機３０４とモニタ付居室親機３０５は通話状態となる。この状態で、再度通話釦３２３を押下すると、親機２線化インターフェース３０７ｂにより線路ｈ３の線間電圧ｖｈはｖ１に戻され、カメラ付玄関子機３０４の子機映像系回路３０８と子機音声系回路３０９に対する電源供給が停止して終話し、待受状態となる。
【００１５】
次にカメラ付集合玄関機３０１とモニタ付居室親機３０５の通話について説明する。カメラ付集合玄関機３０１は、電源の供給を制御機３０３より受けて動作する。カメラ付集合玄関機３０１の電源電圧ｖｃ３は待受時においてｖｃ３＝ｖ１であり、このとき、部屋番号入力装置３２０、集合玄関機インターフェース３２２のみが動作し、集合玄関機カメラ３１９及び集合玄関機通話回路３２１は動作しない。また、通話時の電源電圧はｖｃ３＝ｖ３であり、この場合のみ集合玄関機カメラ３１９及び集合玄関機通話回路３２１は動作する。
【００１６】
カメラ付集合玄関機３０１は、部屋番号入力装置３２０により部屋番号を入力して呼出すと、集合玄関機インターフェース３２２より呼出信号Ｓｄｄ３１が制御機３０３を介してデータ幹線Ｌｄ３に送信される。モニタ付居室親機３０５の制御系回路３１２が集合インターフェース３０６を介してデータ幹線Ｌｄ３上にある呼出信号Ｓｄｄ３１を読み取り、部屋番号設定装置３２４に設定されている部屋番号と同一であることを確認すると、モニタ付居室親機３０５は呼出状態となり、この状態で通話釦３２３が押下されると、親機制御系回路３１２より集合インターフェース３０６、データ幹線Ｌｄ３を介してカメラ付集合玄関機３０１との通話を行う旨の通話信号Ｓｄｒ３１が制御機３０３に送信される。通話信号Ｓｄｒ３１を受信した制御機３０３は、カメラ付集合玄関機３０１に電源電圧ｖｃ３＝ｖ３を印加し、集合玄関機カメラ３１９及び集合玄関機通話回路３２１が動作を開始する。
【００１７】
集合玄関機カメラ３１９による映像信号Ｓｍｄ３１は、制御機３０３及び映像信号幹線Ｌｍ３、集合玄関機通話回路３２１による音声信号Ｓｓｄ３１は制御機３０３及び音声信号幹線Ｌｓ３を経由してモニタ付居室親機３０５に伝達され、親機映像系回路３１０及び親機音声系回路３１１のそれぞれにより復調される。
【００１８】
また、モニタ付居室親機３０５の親機音声系回路３１１での音声信号Ｓｓｒ３１は、集合インターフェース３０６、音声信号幹線Ｌｓ３、制御機３０３を経由してカメラ付集合玄関機３０１の集合玄関機通話回路３２１に伝達され、集合玄関機通話回路３２１により復調される。
【００１９】
以上により、カメラ付集合玄関機３０１とモニタ付居室親機３０５は通話状態となる。この状態においてモニタ付居室親機３０５の解錠釦３２５を押下すると、親機制御系回路３１２より集合インターフェース３０６、データ幹線Ｌｄ３、制御機３０３を経由してカメラ付集合玄関機３０１の集合玄関機インターフェース３２２に解錠信号Ｓｄｒ３２が伝達され、集合玄関機インターフェース３２２はオートロック制御回路３２６を介してオートロック解錠装置３１８を解錠する。
【００２０】
カメラ付集合玄関機３０１とモニタ付居室親機３０５の通話状態において再度モニタ付居室親機３０５の通話釦３２３を押下すると、親機制御系回路３１２より集合インターフェース３０６、データ幹線Ｌｄ３を経由して終話信号Ｓｄｒ３３が制御機３０３に伝達され、制御機３０３はカメラ付集合玄関機３０１の電源電圧ｖｃ３をｖ１に戻し、通話を終話させる。
【００２１】
【特許文献１】特開２００１−２４５０５８号公報  （図１、段落番号００１３）。
【００２２】
【発明が解決しようとする課題】
しかしながら、従来の集合住宅インターホン装置では、施工時に幹線Ｌ３をモニタ付居室親機３０５の設置されている場所まで引き込まなければならないため、施工性が悪いという難点があった。
【００２３】
本発明は、この難点を解決するためになされたもので、幹線を居室親機の設置されている場所まで引き込むことなく、容易に施工が可能な集合住宅インターホン装置を提供することを目的としている。
【００２４】
【課題を解決するための手段】
本発明の集合住宅インターホン装置は、集合住宅の集合玄関に設置されるカメラ付集合玄関機及び管理室に設置される管理室親機を制御機を介し幹線を経由して集合住宅の各居室玄関に設置されるカメラ付玄関子機及び各居室に設置されるモニタ付居室親機に接続し、カメラ付玄関子機に、幹線に接続され制御機との通信を行うための集合インターフェースを設けることにより、カメラ付玄関子機とモニタ付居室親機の間の配線を２線化したものである。
【００２５】
また、本発明の集合住宅インターホン装置は、カメラ付玄関子機に、モニタ付居室親機の部屋番号等の識別番号を設定する識別番号設定装置を設けている。
【００２６】
さらに、本発明の集合住宅インターホン装置は、集合住宅の集合玄関に設置される集合玄関機及び管理室に設置される管理室親機を制御機を介し幹線を経由して集合住宅の各居室玄関に設置される玄関子機及び各居室に設置される居室親機に接続し、玄関子機に、幹線に接続され制御機との通信を行うための集合インターフェースを設けることにより、玄関子機と居室親機の間の配線を２線化したものである。
【００２７】
また、本発明の集合住宅インターホン装置は、玄関子機に、居室親機の部屋番号等の識別番号を設定する識別番号設定装置を設けている。
【００２８】
このような集合住宅インターホン装置によれば、幹線の各居室への接続を玄関子機で行うようにし、幹線を居室親機の設置されている場所まで引き込むことなく、容易に施工が可能となる。
【００２９】
【発明の実態の形態】
以下、本発明の集合住宅インターホン装置についてその好ましい実施の形態例について図面を参照して詳述する。
【００３０】
本発明の集合住宅インターホン装置は、図１に示す通り、各居室は、カメラ付玄関子機１０４、モニタ付居室親機１０５、セキュリティ用のセンサＡ及びセンサＢにより構成されている。
【００３１】
カメラ付玄関子機１０４は、映像信号を取り扱う子機映像系回路１０８、音声信号を取り扱う子機音声系回路１０９、幹線Ｌ１と接続するための集合インターフェース１０６、子機映像系回路１０８と子機音声系回路１０９と集合インターフェース１０６による信号をモニタ付居室親機１０５との通信時に２線化を行う子機２線化インターフェース１０７ａ、呼出装置１１６、部屋番号設定装置１２４、子機制御系回路１２７により構成されている。
【００３２】
また、モニタ付居室親機１０５は、カメラ付玄関子機１０４との通信時に２線化を行う親機２線化インターフェース１０７ｂ、映像信号を取り扱う親機映像系回路１１０、音声信号を取り扱う親機音声系回路１１１、親機制御系回路１１２、呼出検出回路１１７、通話釦１２３、解錠釦１２５により構成されている。
【００３３】
子機２線化インターフェース１０７ａと親機２線化インターフェース１０７ｂの間は２線の線路ｈ１によって接続されており、セキュリティ用のセンサＡ、センサＢは親機制御系回路１１２に接続されている。
【００３４】
集合住宅インターホン装置の共用部Ｃ１は、制御機１０３、カメラ付集合玄関機１０１、管理室親機１０２、オートロック解錠装置１１８により構成されている。
【００３５】
共用部Ｃ１のカメラ付集合玄関機１０１は、集合玄関機カメラ１１９、部屋番号入力装置１２０、集合玄関機回路１２１、集合玄関機インターフェース１２２、オートロック制御回路１２６により構成され、管理室親機１０２は、管理室親機インターフェース１３０、警報装置１２８及び表示装置１２９により構成され、管理室親機１０２には、制御機１０３により常時電源電圧が供給されている。
【００３６】
カメラ付玄関子機１０４の集合インターフェース１０６は制御機１０３からの幹線Ｌ１に接続されている。また、制御機１０３にはカメラ付集合玄関機１０１及び管理室親機１０２が接続されており、カメラ付集合玄関機１０１にはオートロック解錠装置１１８が接続されている。
【００３７】
幹線Ｌ１はデータ幹線Ｌｄ１、映像信号幹線Ｌｍ１、音声信号幹線Ｌｓ１により構成されている。
【００３８】
次に、本発明の集合住宅インターホン装置における動作を説明する。
【００３９】
まず、子機２線化インターフェース１０７ａ及び親機２線化インターフェース１０７ｂについて説明する。図１に示すように、カメラ付玄関子機１０４とモニタ付居室親機１０５の間の２線の線路ｈ１の線間電圧ｖｈは、待受時において親機２線化インターフェース１０７ｂによりｖｈ＝ｖ１、呼出時において子機２線化インターフェース１０７ａによりｖｈ＝ｖ２、通話時において親機２線化インターフェース１０７ｂによりｖｈ＝ｖ３に制御される。
【００４０】
ここで、カメラ付玄関子機１０４の子機映像系回路１０８と子機音声系回路１０９は、線路ｈ１の線間電圧ｖｈがｖ３の場合のみ親機２線化インターフェース１０７ｂより電源電圧が供給され、カメラ付玄関子機１０４とモニタ付居室親機１０５が通話状態にある場合のみ動作する。
【００４１】
また、カメラ付玄関子機１０４とモニタ付居室親機１０５が通話状態にある場合、子機映像系回路１０８及び子機音声系回路１０９のモニタ付居室親機１０５に対する信号は、子機２線化インターフェース１０７ａにより線路ｈ１の線間電圧ｖｈ＝ｖ３に重畳されて親機２線化インターフェース１０７ｂに伝達され、親機音声系回路１１１によるカメラ付玄関子機１０４に対する音声信号は、親機２線化インターフェース１０７ｂにより線路１１の線間電圧ｖｈ＝ｖ３に重畳されて子機２線化インターフェース１０７ａに伝達される。
【００４２】
子機２線化インターフェース１０７ａに接続されているデータ幹線Ｌｄ１上の信号は、線間電圧ｖｈがｖ１、ｖ２、ｖ３のいずれの電圧の場合においても、線間電圧ｖｈに重畳され、親機２線化インターフェース１０７ｂに接続される。
【００４３】
次に、カメラ付玄関子機１０４とモニタ付居室親機１０５の通話について説明する。カメラ付玄関子機１０４とモニタ付居室親機１０５が待受状態にある場合、親機２線化インターフェース１０７ｂにより線路ｈ１の線間電圧ｖｈはｖ１となっている。
【００４４】
ここで、カメラ付玄関子機１０４の呼出装置１１６より呼出信号が発生すると、子機２線化インターフェース１０７ａにより線路ｈ１の線間電圧ｖｈはｖ２となる。線間電圧ｖｈがｖ２になると、モニタ付居室親機１０５の呼出検出回路１１７ではカメラ付玄関子機１０４からの呼出が検出され、親機制御系回路１１２に伝達される。この状態で通話釦１２３が押下され、通話釦１２３の押下が親機制御系回路１１２に伝達されると、親機制御系回路１１２は親機２線化インターフェース１０７ｂにより線路ｈ１の線間電圧ｖｈをｖ３としてカメラ付玄関子機１０４の子機映像系回路１０８と子機音声系回路１０９に電源を供給し、カメラ付玄関子機１０４とモニタ付居室親機１０５は通話状態となる。
【００４５】
このとき、モニタ付居室親機１０５に対する子機映像系回路１０８及び子機音声系回路１０９の信号は、子機２線化インターフェース１０７ａにより線路ｈ１の線間電圧ｖｈ＝ｖ３に重畳されて、親機２線化インターフェース１０７ｂに伝達され、親機２線化インターフェース１０７ｂにより、親機映像系回路１１０及び親機音声系回路１１１に振り分けられた後、親機映像系回路１１０及び親機音声系回路１１１のそれぞれにより復調される。
【００４６】
また、親機音声系回路１１１によるカメラ付玄関子機１０４に対する音声信号は、親機２線化インターフェース１０７ｂにより線路ｈ１の線間電圧ｖｈ＝ｖ３に重畳されて子機２線化インターフェース１０７ａに伝達され、子機２線化インターフェース１０７ａにより子機音声系回路１０９に振り分けられた後、子機音声系回路１０９において復調される。以上により、カメラ付玄関子機１０４とモニタ付居室親機１０５は通話状態となる。この状態で、再度通話釦１２３を押下すると、親機２線化インターフェース１０７ｂにより線路ｈ１の線間電圧ｖｈはｖ１に戻され、カメラ付玄関子機１０４の子機映像系回路１０８と子機音声系回路１０９に対する電源供給が停止して終話し、待受状態となる。
【００４７】
次にカメラ付集合玄関機１０１とモニタ付居室親機１０５の通話について説明する。カメラ付集合玄関機１０１は電源の供給を制御機１０３より受けて動作する。カメラ付集合玄関機１０１の電源電圧ｖｃ１は、待受時においてｖｃ１＝ｖ１であり、このとき、部屋番号入力装置１２０、集合玄関機インターフェース１２２のみが動作し、集合玄関機カメラ１１９及び集合玄関機通話回路１２１は動作しない。また、通話時の電源電圧はｖｃ１＝ｖ３であり、この場合のみ集合玄関機カメラ１１９及び集合玄関機通話回路１２１は動作する。
【００４８】
カメラ付集合玄関機１０１は、部屋番号入力装置１２０により部屋番号を入力して呼出すと、集合玄関機インターフェース１２２より呼出信号Ｓｄｄ１１が制御機１０３を介してデータ幹線Ｌｄ１に送信される。カメラ付玄関子機１０４の子機制御系回路１２７がカメラ付玄関子機１０４の集合インターフェース１０６を介してデータ幹線Ｌｄ１上にある呼出信号Ｓｄｄ１１を読み取り、部屋番号設定装置１２４に設定されている部屋番号と同一であることを確認すると、子機制御系回路１２７は子機２線化インターフェース１０７ａの線間電圧ｖｈをｖ２に制御し、モニタ付居室親機１０５を呼出状態にする。
【００４９】
この状態で通話釦１２３が押下されると、モニタ付居室親機１０５の親機制御系回路１１２は親機２線化インターフェース１０７ｂの線間電圧ｖｈをｖ３に制御し、子機制御系回路１２７は子機２線化インターフェース１０７ａの線間電圧ｖｈがｖ３となったことからモニタ付居室親機１０５で通話釦１２３が押下されたとみなし、集合インターフェース１０６、データ幹線Ｌｄ１を介してカメラ付集合玄関機１０１との通話を行う旨の通話信号Ｓｄｒ１１を制御機１０３に送信する。
【００５０】
通話信号Ｓｄｒ１１を受信した制御機１０３は、カメラ付集合玄関機１０１に電源電圧ｖｃ１＝ｖ３を印加し、集合玄関機カメラ１１９及び集合玄関機通話回路１２１が動作を開始する。集合玄関機カメラ１１９による映像信号Ｓｍｄ１１は制御機１０３、映像信号幹線Ｌｍ１、集合インターフェース１０６、子機及び親機２線化インターフェース１０７ａ、ｂを経由、集合玄関機通話回路１２１による音声信号Ｓｓｄ１１は制御機１０３、音声信号幹線Ｌｓ１、集合インターフェース１０６、子機及び親機２線化インターフェース１０７ａ、ｂを経由してモニタ付居室親機１０５に伝達され、親機映像系回路１１０及び親機音声系回路１１１のそれぞれにより復調される。
【００５１】
また、モニタ付居室親機１０５の親機音声系回路１１１での音声信号Ｓｓｒ１１は、親機及び子機２線化インターフェース１０７ｂ、ａ、カメラ付玄関子機１０４の集合インターフェース１０６、音声信号幹線Ｌｓ１、制御機１０３を経由してカメラ付集合玄関機１０１の集合玄関機通話回路１２１に伝達され、そこで復調される。
【００５２】
以上により、カメラ付集合玄関機１０１とモニタ付居室親機１０５は通話状態となる。この状態においてモニタ付居室親機１０５の解錠釦１２５を押下すると、親機制御系回路１１２より親機及び子機２線化インターフェース１０７ｂ、ａ、子機制御系回路１２７、集合インターフェース１０６、データ幹線Ｌｄ１、制御機１０３を経由してカメラ付集合玄関機１０１の集合玄関機インターフェース１２２に解錠信号Ｓｄｒ１２が伝達され、集合玄関機インターフェース１２２はオートロック制御回路１２６を介してオートロック解錠装置１１８を解錠する。カメラ付集合玄関機１０１とモニタ付居室親機１０５の通話状態において再度モニタ付居室親機１０５の通話釦１２３を押下すると親機制御系回路１１２により親機２線化インターフェース１０７ｂの線間電圧ｖｈがｖ１に制御され、子機制御系回路１２７は子機２線化インターフェース１０７ａの線間電圧ｖｈがｖ１となったことからモニタ付居室親機１０５で通話釦１２３が押下されたとみなし、集合インターフェース１０６、データ幹線Ｌｄ１を経由して終話信号Ｓｄｒ１３を制御機１０３に伝達する。制御機１０３はカメラ付集合玄関機１０１の電源電圧ｖｃ１をｖ１に戻し、通話を終話させる。
【００５３】
センサＡまたは、センサＢが異常を検知した場合、親機制御系回路１１２はモニタ付居室親機１０５を警報鳴動状態に遷移させるのと同時に、親機２線化インターフェース１０７ｂ及び子機２線化インターフェース１０７ａを介して子機制御系回路１２７に異常の検知を伝達し、子機制御系回路１２７は、集合インターフェース１０６、データ幹線Ｌｄ１を経由して異常移報信号Ｓｄｒ１４を制御機１０３に送信する。
【００５４】
ここで、異常移報信号Ｓｄｒ１４には異常を検知したセンサの種類と、部屋番号設定装置１２４に設定されている部屋番号の情報が含まれている。異常移報信号Ｓｄｒ１４を受信した制御機１０３は管理室親機１０２の管理室親機インターフェース１３０に異常移報信号Ｓｄｒ１４を伝達し、異常移報信号Ｓｄｒ１４を受信した管理室親機インターフェース１３０は警報装置１２８を発報させると同時に、異常を検知した部屋の部屋番号及び警報の種類を表示装置１２９に表示する。
【００５５】
本発明のもう一つの好ましい実施の形態例について、映像関連の機能を削除した集合住宅インターホン装置を図面を参照して詳述する。
【００５６】
本発明の集合住宅インターホン装置では、図２に示す通り、各居室は、玄関子機２０４、居室親機２０５、セキュリティ用のセンサＡ、センサＢにより構成されている。
【００５７】
玄関子機２０４は、音声信号を取り扱う子機音声系回路２０９、幹線Ｌ２と接続するための集合インターフェース２０６、子機音声系回路２０９による信号を居室親機２０５との通信時に２線化を行う子機２線化インターフェース２０７ａ、呼出装置２１６、部屋番号設定装置２２４、子機制御系回路２２７により構成されている。
【００５８】
また、居室親機２０５は、玄関子機２０４との通信時に２線化を行う親機２線化インターフェース２０７ｂ、音声信号を取り扱う親機音声系回路２１１、親機制御系回路２１２、呼出検出回路２１７、通話釦２２３、解錠釦２２５により構成されている。
【００５９】
子機２線化インターフェース２０７ａと親機２線化インターフェース２０７ｂの間は２線の線路ｈ２によって接続されており、セキュリティ用のセンサＡ、センサＢは親機制御系回路２１２に接続されている。
【００６０】
集合住宅インターホン装置の共用部Ｃ２は、制御機２０３、集合玄関機２０１、管理室親機２０２、オートロック解錠装置２１８により構成されており、集合玄関機２０１は、部屋番号入力装置２２０、集合玄関機通話回路２２１、集合玄関機インターフェース２２２、オートロック制御回路２２６により構成されている。
【００６１】
管理室親機２０２は、管理室親機インターフェース２３０、警報装置２２８及び表示装置２２９を内蔵し、管理室親機２０２には、制御機２０３により常時電源電圧が供給されている。
【００６２】
玄関子機２０４の集合インターフェース２０６は、制御機２０３からの幹線Ｌ２に接続されている。また、制御機２０３には集合玄関機２０１及び管理室親機２０２が接続されており、集合玄関機２０１にはオートロック解錠装置２１８が接続されている。幹線Ｌ２はデータ幹線Ｌｄ２、音声信号幹線Ｌｓ２により構成されている。
【００６３】
次に、本発明の集合住宅インターホン装置における動作を説明する。
【００６４】
まず、子機２線化インターフェース２０７ａ及び親機２線化インターフェース２０７ｂについて説明する。玄関子機２０４と居室親機２０５の間の２線の線路ｈ２の線間電圧ｖｈは待受時において親機２線化インターフェース２０７ｂによりｖｈ＝ｖ１、呼出時において子機２線化インターフェース２０７ａによりｖｈ＝ｖ２、通話時において親機２線化インターフェース２０７ｂによりｖｈ＝ｖ３に制御される。
【００６５】
ここで、玄関子機２０４の子機音声系回路２０９は、線路ｈ２の線間電圧ｖｈがｖ３の場合のみ親機２線化インターフェース２０７ｂより電源電圧が供給され、玄関子機２０４と居室親機２０５が通話状態にある場合のみ動作する。また、玄関子機２０４と居室親機２０５が通話状態にある場合、子機音声系回路２０９の居室親機２０５に対する信号は、子機２線化インターフェース２０７ａにより線路ｈ２の線間電圧ｖｈ＝ｖ３に重畳されて親機２線化インターフェース２０７ｂに伝達され、親機音声系回路２１１による玄関子機２０４に対する音声信号は親機２線化インターフェース２０７ｂにより線路ｈ２の線間電圧ｖｈ＝ｖ３に重畳されて子機２線化インターフェース２０７ａに伝達される。
【００６６】
子機２線化インターフェース２０７ａに接続されているデータ幹線Ｌｄ２上の信号は、線間電圧ｖｈがｖ１、ｖ２、ｖ３のいずれの電圧の場合においても、線間電圧ｖｈに重畳され、親機２線化インターフェース２０７ｂに接続される。
【００６７】
次に、玄関子機２０４と居室親機２０５の通話について説明する。玄関子機２０４と居室親機２０５が待受状態にある場合、親機２線化インターフェース２０７ｂにより線路ｈ２の線間電圧ｖｈはｖ１となっている。ここで、玄関子機２０４の呼出装置２１６より呼出信号が発生すると、子機２線化インターフェース２０７ａにより線路ｈ２の線間電圧ｖｈはｖ２となる。
【００６８】
線間電圧ｖｈがｖ２になると、居室親機２０５の呼出検出回路２１７では玄関子機２０４からの呼出が検出され、親機制御系回路２１２に伝達される。この状態で通話釦２２３が押下され、通話釦２２３の押下が親機制御系回路２１２に伝達されると、親機制御系回路２１２は親機２線化インターフェース２０７ｂにより線路ｈ２の線間電圧ｖｈをｖ３として玄関子機２０４の子機音声系回路２０９に電源を供給し、玄関子機２０４と居室親機２０５は通話状態となる。このとき、居室親機２０５に対する子機音声系回路２０９の信号は、子機２線化インターフェース２０７ａによりｈ２の線間電圧ｖｈ＝ｖ３に重畳されて、親機２線化インターフェース２０７ｂに伝達され、親機２線化インターフェース２０７ｂにより、親機音声系回路２１１に振り分けられた後、親機音声系回路２１１により復調される。
【００６９】
また、親機音声系回路２１１による玄関子機２０４に対する音声信号は、親機２線化インターフェース２０７ｂにより線路ｈ２の線間電圧ｖｈ＝ｖ３に重畳されて子機２線化インターフェース２０７ａに伝達され、子機２線化インターフェース２０７ａにより子機音声系回路２０９に振り分けられた後、子機音声系回路２０９において復調される。以上により、玄関子機２０４と居室親機２０５は通話状態となる。この状態で、再度通話釦２２３を押下すると、親機２線化インターフェース２０７ｂにより線路ｈ２の線間電圧ｖｈはｖ１に戻され、玄関子機２０４の子機音声系回路２０９に対する電源供給が停止して終話し、待受状態となる。
【００７０】
次に集合玄関機２０１と居室親機２０５の通話について説明する。
【００７１】
集合玄関機２０１は電源の供給を制御機２０３より受けて動作する。集合玄関機２０１の電源電圧ｖｃ２は、待受時においてｖｃ２＝ｖ１であり、このとき、部屋番号入力装置２２０、集合玄関機インターフェース２２２のみが動作し、集合玄関機通話回路２２１は動作しない。また、通話時の電源電圧はｖｃ２＝ｖ３であり、この場合のみ集合玄関機通話回路２２１は動作する。
【００７２】
集合玄関機２０１は、部屋番号入力装置２２０により部屋番号を入力して呼出すと、集合玄関機インターフェース２２２より呼出信号Ｓｄｄ２１が制御機２０３を介してデータ幹線Ｌｄ２に送信される。玄関子機２０４の子機制御系回路２２７が、玄関子機２０４の集合インターフェース２０６を介してデータ幹線Ｌｄ２上にある呼出信号Ｓｄｄ２１を読み取り、部屋番号設定装置２２４に設定されている部屋番号と同一であることを確認すると、子機制御系回路２２７は子機２線化インターフェース２０７ａの線間電圧ｖｈをｖ２に制御し、居室親機２０５を呼出状態にする。この状態で通話釦２２３が押下されると、居室親機２０５の親機制御系回路２１２は親機２線化インターフェース２０７ｂの線間電圧ｖｈをｖ３に制御し、子機制御系回路２２７は子機２線化インターフェース２０７ａの線間電圧ｖｈがｖ３となったことから居室親機２０５で通話釦２２３が押下されたとみなし、集合インターフェース２０６、データ幹線Ｌｄ２を介して集合玄関機２０１との通話を行う旨の通話信号Ｓｄｒ２１を制御機２０３に送信する。
【００７３】
通話信号Ｓｄｒ２１を受信した制御機２０３は、集合玄関機２０１に電源電圧ｖｃ２＝ｖ３を印加し、集合玄関機通話回路２２１が動作を開始する。集合玄関機通話回路２２１による音声信号Ｓｓｄ２１は制御機２０３、音声信号幹線Ｌｓ２、集合インターフェース２０６、子機及び親機２線化インターフェース２０７ａ、ｂを経由して居室親機２０５に伝達され、親機音声系回路２１１により復調される。
【００７４】
また、居室親機２０５の親機音声系回路２１１での音声信号Ｓｓｒ２１は、親機及び子機２線化インターフェース２０７ｂ、ａ、玄関子機２０４の集合インターフェース２０６、音声信号幹線Ｌｓ２、制御機２０３を経由して集合玄関機２０１の集合玄関機通話回路２２１に伝達され、集合玄関機通話回路２２１により復調される。以上により、集合玄関機２０１と居室親機２０５は通話状態となる。この状態において居室親機２０５の解錠釦２２５を押下すると、親機制御系回路２１２より親機２線化インターフェース２０７ｂ及び子機２線化インターフェース２０７ａ、子機制御系回路２２７、集合インターフェース２０６、データ幹線Ｌｄ２、制御機２０３を経由して集合玄関機２０１の集合玄関機インターフェース２２２に解錠信号Ｓｄｒ２２が伝達され、集合玄関機インターフェース２２２はオートロック制御回路２２６を介してオートロック解錠装置を解錠する。
【００７５】
集合玄関機２０１と居室親機２０５の通話状態において再度居室親機２０５の通話釦２２３を押下すると、親機制御系回路２１２により親機２線化インターフェース２０７ｂの線間電圧ｖｈがｖ１に制御され、子機制御系回路２２７は、子機２線化インターフェース２０７ａの線間電圧ｖｈがｖ１となったことから居室親機２０５で通話釦２２３が押下されたとみなし、集合インターフェース２０６、データ幹線Ｌｄ２を経由して終話信号Ｓｄｒ２３を制御機２０３に伝達する。制御機２０３は集合玄関機２０１の電源電圧ｖｃ２をｖ１に戻し、通話を終話させる。
【００７６】
センサＡまたはセンサＢが異常を検知した場合、親機制御系回路２１２は居室親機２０５を警報鳴動状態に遷移させるのと同時に、親機２線化インターフェース２０７ｂ及び子機２線化インターフェース２０７ａを介して子機制御系回路２２７に異常の検知を伝達し、子機制御系回路２２７は、集合インターフェース２０６、データ幹線Ｌｄ２を経由して異常移報信号Ｓｄｒ２４を制御機２０３に送信する。
【００７７】
ここで、異常移報信号Ｓｄｒ２４には異常を検知したセンサの種類と、部屋番号設定装置２２４に設定されている部屋番号の情報が含まれている。異常移報信号Ｓｄｒ２４を受信した制御機２０３は、管理室親機２０２の管理室親機インターフェース２３０に異常移報信号Ｓｄｒ２４を伝達し、異常移報信号Ｓｄｒ２４を受信した管理室親機インターフェース２３０は、警報装置２２８を発報させると同時に、異常を検知した部屋の部屋番号及び警報の種類を表示装置２２９に表示する。
【００７８】
【発明の効果】
以上の説明から明らかなように、本発明の集合住宅インターホン装置によれば、玄関子機に、幹線に接続され制御機との通信を行うための集合インターフェースを設けることにより、玄関子機とモニタ付居室親機の間の配線を２線化したので、幹線を居室親機の設置されている場所まで引き込む必要はなくなり、従って施工が容易になる。
【図面の簡単な説明】
【図１】本発明の集合住宅インターホン装置の実施例を説明するブロック図。
【図２】本発明の集合住宅インターホン装置の他の実施例を説明するブロック図。
【図３】従来の集合住宅インターホン装置を説明するブロック図
【符号の説明】
１０１…カメラ付集合玄関機
１０２…管理室親機
１０３…制御機
１０４…カメラ付玄関子機
１０５…モニタ付居室親機
１０６…集合インターフェース
１２４…識別番号設定装置
Ｌ１…幹線
２０１…集合玄関機
２０２…管理室親機
２０３…制御機
２０４…玄関子機
２０５…居室親機
２０６…集合インターフェース
２２４…識別番号設定装置
Ｌ２…幹線
【図１】
2004297569.tif 000003
【図２】
2004297569.tif 000004
【図３】
2004297569.tif 000005